(57)【要約】【課題】パスワードの記憶に負担をかけずに簡便な方法で個人認証を行う。【解決手段】１回目用の登録パスワードと、この１回目用の登録パスワードに対して一部分変形させた２回目用の変形登録パスワードとを予め登録した上で、１回目のパスワードを入力して前記１回目用の登録パスワードと照合した後に、前記１回目のパスワードに対して２回目に一部分変形させた変形パスワードを入力して前記２回目用の変形登録パスワードと照合することで個人認証を行うことを特徴とする個人認証方法を提供する。【選択図】      図３
2005025643.tif 000002
【特許請求の範囲】
【請求項１】
パスワードを入力する手段と、登録パスワードを登録する手段と、入力した前記パスワードと前記登録パスワードとを照合する手段とを少なくとも備えた個人認証システムを適用して個人認証を行う個人認証方法において、
１回目用の登録パスワードと、この１回目用の登録パスワードに対して一部分変形させた２回目用の変形登録パスワードとを予め登録した上で、１回目のパスワードを入力して前記１回目用の登録パスワードと照合した後に、前記１回目のパスワードに対して２回目に一部分変形させた変形パスワードを入力して前記２回目用の変形登録パスワードと照合することで個人認証を行うことを特徴とする個人認証方法。
【請求項２】
請求項１記載の個人認証方法において、
予め登録した各登録パスワード及び入力する各パスワードは、数列・文字列によるパスワードか、もしくは、音声によるパスワードであることを特徴とする個人認証方法。
【発明の詳細な説明】
【０００１】
【発明の属する技術分野】
本発明は、パスワードを２回入力するものの、パスワードの記憶に負担をかけずに簡便な方法で個人認証のセキュリティ性を高めることができる個人認証方法に関するものである。
【０００２】
【従来の技術】
従来、パーソナルコンピュータ（パソコン）やコンピュータネットワークにアクセスする場合に、利用者個人がパスワード（暗証鍵）を入力して、予めオペレーティングシステム内に登録されている本人照合用のパスワードと一致するか否かを判別することにより、本人認定が一般的に行われている。
【０００３】
また、企業内等で入退室チェック等に用いられる個人認証システムでは、個人に付与された磁気カ−ドの磁気ストライプを読み取る装置とか、テンキ−によって入力されたパスワードを照合する装置等により、本人認定が一般的に行われている。
【０００４】
一方、個人認証のセキュリティ性を高めるために、パスワードと共に個人識別情報とを入力して、本人を確認する本人確認システムがあり、ここでの個人識別情報としては、虹彩模様、指紋、声紋等の個人特有の身体的特徴や筆圧や筆跡などの個人固有の癖を利用したものを使用している（例えば、特許文献１参照）。
【０００５】
【特許文献１】
特開平１１−１６７５５３号公報（第３−４頁、第１図）
【０００６】
【発明が解決しようとする課題】
ところで、上記した特許文献１による本人確認システムでは、パスワードと、個人識別情報とによる２種類の情報を用いることで、本人確認の精度を高めることができるものの、パスワードを入力するパスワード入力手段と、個人特有の身体的特徴や個人固有の癖を利用した個人識別情報を入力する個人識別情報入力手段とをシステム内に設けねばならないために本人確認システムが高価になってしまう。
【０００７】
一方、上記した特許文献１による本人確認システムよりは簡便な方法で、且つ、本人確認の精度をある程度高めることができる個人認証方法として、個人認証を再確認する目的で同じパスワードを２回入力させる方法があるものの、同じパスワードを２回入力することだけでは、セキュリティ性を高めることができない。
【０００８】
また、同じパスワードを２回入力させる方法とは異なって、個人認証のセキュリティ性を高めるために、異なるパスワードを少なくとも２つ以上入力する方法も考えられるものの、一般的に桁数の多い数列とか文字列によるパスワードを複数記憶することは困難であり、且つ、実用的でない。
【０００９】
そこで、パスワードを２回入力するものの、パスワードの記憶に負担をかけずに簡便な方法で個人認証のセキュリティ性を高めることができる個人認証方法が望まれている。
【００１０】
【課題を解決するための手段】
本発明は上記課題に鑑みてなされたものであり、第１の発明は、パスワードを入力する手段と、登録パスワードを登録する手段と、入力した前記パスワードと前記登録パスワードとを照合する手段とを少なくとも備えた個人認証システムを適用して個人認証を行う個人認証方法において、
１回目用の登録パスワードと、この１回目用の登録パスワードに対して一部分変形させた２回目用の変形登録パスワードとを予め登録した上で、１回目のパスワードを入力して前記１回目用の登録パスワードと照合した後に、前記１回目のパスワードに対して２回目に一部分変形させた変形パスワードを入力して前記２回目用の変形登録パスワードと照合することで個人認証を行うことを特徴とする個人認証方法である。
【００１１】
また、第２の発明は、上記した第１の発明の個人認証方法において、
予め登録した各登録パスワード及び入力する各パスワードは、数列・文字列によるパスワードか、もしくは、音声によるパスワードであることを特徴とする個人認証方法である。
【００１２】
【発明の実施の形態】
以下に本発明に係る個人認証方法の一実施例を図１乃至図６を参照して＜第１実施例＞，＜第２実施例＞の順に詳細に説明する。
【００１３】
パスワードを用いて個人を認証するに当たって、従来では同一のパスワードを２回入力することを求めているのに対して、本発明に係る個人認証方法では同一のパスワードを２回入力した者を排除することを特徴とするものであり、即ち、１回目用の登録パスワードと、この１回目用の登録パスワードを一部分変形させた２回目用の変形登録パスワードとを予め登録した上で、１回目のパスワードを入力して１回目用の登録パスワードと照合した後に、２回目には１回目のパスワードの一部分を変形させた変形パスワードを入力して２回目用の変形登録パスワードと照合することで個人認証を行うので、例えばパスワードを盗まれたとしてもパスワードの変形方法を知っているのは利用者だけであるために、セキュリティ性を高めて個人認証を行うことができ、且つ、パスワードの記憶に負担がかからないので使い勝手の良いを個人認証方法である。
【００１４】
図１は本発明に係る個人認証方法に適用される個人認証システムを説明するための全体構成図、
図２は本発明に係る個人認証方法において、１回目用の登録パスワードと、１回目用の登録パスワードに対して一部分変形させた２回目用の変形登録パスワードとを予め登録するパスワード登録動作を説明するためのフロー図である。
【００１５】
まず、本発明に係る第１，第２実施例の個人認証方法を説明する前に、第１，第２実施例共通に適用される個人認証システムについて図１を用いて説明する。
【００１６】
図１に示した如く、本発明に係る個人認証方法に適用される個人認証システムは、個人認証を行うための機器ならばいかなる機器にも適用でき、具体的には、パーソナルコンピュータとか、各種の携帯用通信機器とか、企業内等での入退室チェック機器とか、金融機関の情報関連機器とか、医療機関の情報関連機器等に適用できるものである。
【００１７】
上記した個人認証システムでは、システム全体の制御を行うためのＭＰＵ（Ｍｉｃｒｏ  Ｐｒｏｃｅｓｓｅｒ  Ｕｎｉｔ）１が有線（又は無線…図示せず）によりネットワークに接続されている。
【００１８】
また、ＭＰＵ１には、パスワード入力部となるキーボード・テンキー２と、音声入力部３とが接続されている。この際、キーボード・テンキー２は後述する第１実施例の個人認証方法と対応して数列・文字列による１回目のパスワード及び１回目のパスワードに対して２回目に一部分変形させた変形パスワードを入力するための手段であり、一方、音声入力部３は後述する第２実施例の個人認証方法と対応して音声による１回目のパスワード及び１回目のパスワードに対して２回目に一部分変形させた変形パスワードを入力するための手段である。
【００１９】
また、ＭＰＵ１には、記憶部４が接続されており、この記憶部４内には第１，第２実施例の個人認証方法を実施する際に、各個人に対応して１回目用の登録パスワードと、１回目用の登録パスワードに対して一部分変形させた２回目用の変形登録パスワードと記すとが各個人ごとに対で予め登録されており、これら１回目用の登録パスワード及び２回目用の変形登録パスワードは、認証対象の個人だけがキーボード・テンキー２又は音声入力部３から入力する１回目のパスワード及び１回目のパスワードに対して２回目に一部分変形させた変形パスワードと対応している。
【００２０】
また、ＭＰＵ１には、ディスプレイ部５と音声出力部６とが接続されている。これらのディスプレイ部５及び音声出力部６は、第１，第２実施例の個人認証方法を実施する際に、利用者に対して画面上で文字表示して個人認証動作を促したり、又は、音声で個人認証動作を促したり、あるいは個人の認証結果を知らせるために用意されているものである。
【００２１】
更に、ネットワークには、ＭＰＵ１から離れた位置にある外部記憶部７が接続されており、この外部記憶部７はＭＰＵ１に接続した記憶部４と同じように例えば離れた位置にいる各個人に対応して１回目用の登録パスワードと、１回目用の登録パスワードに対して一部分変形させた２回目用の変形登録パスワードとが各個人ごとに対で予め登録されている。
【００２２】
そして、外部記憶部７はネットワークを介してＭＰＵ１で制御できるようになっている。この際、ＭＰＵ１に接続した記憶部４と、ネットワークに接続した外部記憶部７とが、登録パスワードを登録する手段となっている。
【００２３】
上記により、本発明に係る個人認証方法に適用される個人認証システムでは、新たな構成部材を追加することなく既存のシステムを適用できるので、安価で使い勝手の良い個人認証方法を提供できる。
【００２４】
ここで、ＭＰＵ１に接続した記憶部４内又はネットワークに接続した外部記憶部７内に、各個人に対応して１回目用の登録パスワードと、１回目用の登録パスワードに対して一部分変形させた２回目用の変形登録パスワードとを各個人ごとに対で予め登録する動作について図２を用いて説明する。
【００２５】
図２に示した如く、パスワード登録動作を開始すると、ステップＳ１で１回目用の登録パスワードを入力する。次に、ステップＳ２で１回目用の登録パスワードを一部分変形させた２回目用の変形登録パスワードを入力する。次に、ステップＳ３で１回目用の登録パスワードの入力及び２回目用の変形登録パスワードの入力が正しく行われたか否かの確認を行い、両パスワードの入力が正しく行われていない場合（Ｎｏの場合）にはステップＳ１に戻り上記したステップＳ１〜Ｓ３の動作フローを再度行う一方、両パスワードの入力が正しく行われた場合（Ｙｅｓの場合）にはステップＳ４で１回目用の登録パスワード及び２回目用の変形登録パスワードを図１に示した記憶部４内又は外部記憶部７内に予め登録を行って、このパスワード登録動作を終了する。
【００２６】
この際、上記したパスワード登録動作において、１回目用の登録パスワード及び２回目用の変形登録パスワードは、後述する第１実施例では数列・文字列によるパスワードであり、一方、後述する第２実施例では音声によるパスワードである。
【００２７】
尚、上記したパスワード登録動作では、１回目用の登録パスワードの入力確認と、２回目用の変形登録パスワードの入力確認とをステップＳ３で同時に行っているが、その都度入力確認を行っても良いものである。
【００２８】
＜第１実施例＞
図３は本発明に係る第１実施例の個人認証方法において、個人認証動作を説明するためのフロー図である。
【００２９】
本発明に係る第１実施例の個人認証方法では、個人を認証するために数列・文字列によるパスワードを２回入力する方法を用い、１回目のパスワードを数列・文字列により入力して照合した後に、１回目のパスワードに対して２回目に数列・文字列を一部分変形させた変形パスワードを入力して照合することを特徴とするものであり、以下、先に用いた図１と新たな図３とを併用して個人認証動作順に説明する。
【００３０】
図３に示した本発明に係る第１実施例の個人認証方法において、個人認証動作を開始する前には、記憶部４内又は外部記憶部７内に各個人に対応して１回目用の登録パスワ−ドと、１回目用の登録パスワ−ドを一部分変形させた２回目用の変形登録パスワ−ドとが各個人ごとに対で予め登録されているものとする。
【００３１】
そして、第１実施例の個人認証動作を開始すると、まず、ステップＳ１１で、「パスワ−ドを入力してください」とディスプレイ部５上で入力を促されるので、利用者はステップＳ１２で１回目のパスワ−ドをキーボード・テンキー２により数列・文字列の形態で入力する。
【００３２】
この後、ステップＳ１３では、キーボード・テンキー２から入力した数列・文字列による１回目のパスワ−ドと、記憶部４内又は外部記憶部７内に予め登録した１回目用の登録パスワ−ドとをＭＰＵ１内で比較する。この場合、ＭＰＵ１は記憶部４内又は外部記憶部７内に予め登録した複数の人のパスワ−ドの中から入力した１回目のパスワ−ドと同じパスワ−ドを選択するものとする。
【００３３】
次に、ステップＳ１４では、キーボード・テンキー２から入力した１回目のパスワ−ドと、記憶部４内又は外部記憶部７内に予め登録した１回目用の登録パスワ−ドとが一致しているか否かを問い、両者が一致していない場合（Ｎｏの場合）にはステップＳ１１に戻り上記したステップＳ１１〜Ｓ１４の動作フローを再度行う一方、両者が一致している場合（Ｙｅｓの場合）にはステップＳ１５に移行する。
【００３４】
次に、ステップＳ１５では、「確認のため、もう一度パスワ−ドを入力してください」とディスプレイ部５上で再度入力を促されるので、利用者はステップＳ１６で１回目のパスワ−ドに対して２回目に数列・文字列を一部分変形させた変形パスワードをキーボード・テンキー２から入力する。
【００３５】
より具体的に説明すると、１回目のパスワードとして、例えば「１２３４５６」と入力する。これに対して、１回目のパスワードに対して２回目に一部分変形させた変形パスワードとして、「１２□４５６」と入力する。この際、頭から３桁目の□内には１回目に入力した「３」以外の数字ならばなんでも良く、即ち、意図的に□内の数字を変形させており、変形パスワードとして例えば「１２４４５６」などを入力した場合、パスワ−ドの変形が正しく行なわれたものとし、１回目の入力と２回目の入力とが正しく行われることで正規の利用者として認証する。
【００３６】
一方、上記した□内に「３」を入れたり、他の桁を間違えた場合（「１２３４１６」など）は、パスワ−ドの変形方法を知らないと判断して、正規の利用者として認めない。
【００３７】
次に、ステップＳ１７では、キーボード・テンキー２から２回目に入力した変形パスワ−ドと、記憶部４内又は外部記憶部７内に予め登録した２回目用の変形登録パスワ−ドとをＭＰＵ１内で比較する。この場合、ＭＰＵ１は、記憶部４内又は外部記憶部７内から１回目用の登録パスワードと対で登録した２回目用の変形登録パスワードを直ちに取り出すことができるものとする。
【００３８】
次に、ステップＳ１８では、２回目に入力した変形パスワ−ドと、予め登録した２回目用の変形登録パスワ−ドとを比較する際に、両者の数列・文字列中で桁位置が一致しているか否かを比較し、両者の桁位置が一致していない場合（Ｎｏの場合）にはステップＳ２１で認証が失敗したことをディスプレイ部５上に表示する一方、両者の桁位置が一致している場合（Ｙｅｓの場合）にはステップＳ１９に移行する。
【００３９】
次に、ステップＳ１９では、キーボード・テンキー２から２回目に入力した変形パスワ−ドと、記憶部４内又は外部記憶部７内に予め登録した２回目用の変形登録パスワ−ドとで桁位置が一致している状態で、更に、両者の桁数値が一致している否かを比較し、両者の桁数値が一致していない場合（Ｎｏの場合）にはステップＳ２１で認証が失敗したことをディスプレイ部５上に表示する一方、両者の桁数値が一致している場合（Ｙｅｓの場合）には、ステップＳ２０に移行する。
【００４０】
次に、ステップＳ２０では、キーボード・テンキー２から２回目に入力した変形パスワ−ドと、記憶部４内又は外部記憶部７内に予め登録した２回目用の変形登録パスワ−ドとが、桁位置及び桁数値共に一致しているので、利用者の個人認証が正しいものであることを確認し、個人認証が正しい旨を必要に応じてディスプレイ部５上に表示することで、個人認証動作を終了する。
【００４１】
尚、２回目に入力した変形パスワード中で意図的に数列・文字列を変形させる□の桁位置は利用者の任意であり、□内の数・文字もまた任意であり、これに合わせて記憶部４内又は外部記憶部７内に２回目用の変形登録パスワ−ドを予め登録しておけば良いものである。
2005025643.tif 000003
上記したように第１実施例の個人認証方法によれば、一般的に、「パスワ−ドを入力してください」と入力を促された後に、「確認のため、もう一度パスワ−ドを入力してください」と再入力を促される場合に、当然のことながら１回目（最初）のパスワ−ドと２回目のパスワ−ドは同じものを入れる（例えば、パスワ−ド登録の時など、誤入力を避ける意味で当然である）ことが通常行われるものであり、第１実施例ではこの点を逆手にとって、本来同じパスワ−ドを２回入力すべきところを１回目のパスワ−ドに対して２回目に故意に一部分変形させた変形パスワ−ドを入力して、一部分変形させた部位が予め登録された２回目用の変形登録パスワ−ドと同じであるという事実をもって個人認証を行なうことで、このことを知らないと、１回目と２回目のパスワ−ドは同じものを入れてしまうので、このことを利用して本人でないと特定できることにより、個人認証のセキュリティ性を高めることができる。
【００４２】
更に、１回目のパスワードに用いた数列・文字列の一部分を変形して２回目に入力すべき変形パスワードとしているために、桁数の多い数列・文字列を複数記憶する必要がなくパスワードの記憶違いや混同混乱といった危険性を低減することができる。
【００４３】
次に、本発明に係る第１実施例の個人認証方法を一部変形させた変形例の個人認証方法について、上記した第１実施例に対して異なる点を中心にして図４を用いて簡略に説明する。
【００４４】
図４は本発明に係る第１実施例の個人認証方法を一部変形させた変形例の個人認証方法において、個人認証動作を説明するためのフロー図である。
【００４５】
図４に示した本発明に係る第１実施例の個人認証方法を一部変形させた変形例の個人認証方法では、１回目のパスワ−ドに対して２回目に故意に一部分変形させた変形パスワードを入力する際に、変形させる部位を予め設定したある種の関数とすることを特徴とするものであり、この関数は利用者が予め知っていると共に、ＭＰＵ１内に予めプログラムされているもとする。
【００４６】
尚、図４の変形例中において、ステップＳ３１〜ステップＳ４１は、先に図３を用いて説明した第１実施例中のステップＳ１１〜ステップＳ２１と対応させており、ここでは第１実施例中のステップＳ１７で示した「記憶部データと比較」が、変形例中ではステップＳ３７で「記憶部データ演算と比較」に変更されている点が異なっており、その他のステップは同じ内容であるので同じ内容のステップの詳述を省略する。
【００４７】
即ち、第１実施例では、１回目のパスワードに対して２回目に意図的に数列・文字列の一部分変形させた変形パスワード中で頭から３桁目の□内の中身が１回目の数又は文字以外であればなんでもよかったが、この変形例では更に上記した□内の中身についてある種の関数Ｐで規定して認証に用いる方法を採用している。
【００４８】
より具体的に説明すると、１回目のパスワ−ドは、第１実施例と同様に、例えば「１２３４５６」と入力する。
【００４９】
これに対して２回目に入力する変形パスワードでは、「１２□４５６」と入力すべき時に、□内にある種の関数Ｐに基づいて入力しており、この関数Ｐの例として以下の例がある。
【００５０】
日付を関数とする場合
日付の十の位と一の位の数を足し、一桁になるまで加算を行なう。一方、１回目に頭から３桁目に入力した「３」の数は利用者のみが知り得る値である。ここで、日付加算で得られた一桁の数に１回目に頭から３桁目に入力した「３」の数を加え、且つ、二桁になったら一桁になるまで加算を行ない関数Ｐとする。
【００５１】
例えば、認証する時の日付が２９日の場合
２＋９＝１１
１＋１＝２
２＋３＝５
これにより２回目に入力する変形パスワードは、「１２５４５６」となる。
【００５２】
従って、図４中のステップ３６で変形パスワードを入力する時に、日付が２９日の場合には、利用者は頭の中で上記の規則に従って演算を行い、変形パスワードとしてキーボード・テンキー２から「１２５４５６」を入力する。
【００５３】
一方、ＭＰＵ１は日付が２９日であることを把握しているために、ステップ３７で記憶部４内又は外部記憶部７内に予め登録した２回目用の変形登録パスワ−ドに対して上記の規則に従ってＭＰＵ１内で演算を行い、キーボード・テンキー２から２回目に入力した変形パスワードと比較することで、両者が一致した時に個人認証を正しく行うことができる。
【００５４】
２）曜日を関数とする場合
月・火・水・木・金・土・日をそれぞれ１・２・３・４・５・６・７の数字に割り当ててる。一方、１回目に頭から３桁目に入力した「３」の数は利用者のみが知り得る値である。ここで、曜日に対応して割り当てた数字に１回目に頭から３桁目に入力した「３」の数を加え、且つ、二桁になったら一桁になるまで加算を行ない関数Ｐとする。
【００５５】
例えば、認証する時の曜日が日曜日の場合
７＋３＝１０
１＋０＝１
これにより２回目に入力する変形パスワードは、「１２１４５６」となる。
【００５６】
従って、この場合も、図４中のステップ３６で変形パスワードを入力する時に、曜日が日曜日の場合には、利用者は頭の中で上記の規則に従って演算を行い、変形パスワードとしてキーボード・テンキー２から「１２１４５６」を入力する。
【００５７】
一方、ＭＰＵ１は曜日が日曜日であることを把握しているために、ステップ３７で記憶部４内又は外部記憶部７内に予め登録した２回目用の変形登録パスワ−ドに対して上記の規則に従ってＭＰＵ１内で演算を行い、キーボード・テンキー２から２回目に入力した変形パスワードと比較することで、両者が一致した時に個人認証を正しく行うことができる。
【００５８】
従って、第１実施例を一部変形させた変形例では、当然のことながら、関数Ｐの桁位置は利用者の任意であり、Ｐをどのような関数で設定するかもまた任意である。このように設定することで、認証を行なう日によって２回目の入力で入力すべきパスワ−ドが変化するので、さらにセキュリティ性の向上が期待できる。
【００５９】
＜第２実施例＞
図５は本発明に係る第２実施例の個人認証方法において、個人認証動作を説明するためのフロー図である。
【００６０】
本発明に係る第２実施例の個人認証方法では、個人を認証するために音声によるパスワードを２回入力する方法を用い、１回目のパスワードを音声により入力して照合した後に、１回目のパスワードに対して２回目に音声を一部分変形させた変形パスワードを入力して照合することを特徴とするものであり、以下、先に用いた図１と新たな図５とを併用して個人認証動作順に説明する。
【００６１】
図５に示した本発明に係る第２実施例の個人認証方法において、個人認証動作を開始する前には、記憶部４内又は外部記憶部７内に各個人に対応して１回目用の登録音声パスワ−ドと、１回目用の登録音声パスワ−ドを一部分変形させた２回目用の変形登録音声パスワ−ドとが各個人ごとに対で予め登録されているものとする。
【００６２】
そして、第２実施例の個人認証動作を開始すると、まず、ステップＳ５１で、「パスワ−ドを入力してください」とディスプレイ部５上又は音声出力部６のスピーカ（図示せず）で入力を促されるので、利用者はステップＳ５２で１回目の音声パスワ−ドを音声入力部３に備えたマイクロホン（図示せず）により音声の形態で入力する。
【００６３】
この際、上記した音声入力部３は、マイクロホン（図示せず）を備えると共に、ここに入力した音声に対してサンプリングを行ない、音声信号の強弱レベルや高低レベルなどを抽出するレベル抽出回路（図示せず）を備えているものとする。
【００６４】
この後、ステップＳ５３では、音声入力部３から入力した１回目の音声パスワ−ドと、記憶部４内又は外部記憶部７内に予め登録した１回目用の登録音声パスワ−ドとをＭＰＵ１内で比較する。この場合、ＭＰＵ１は記憶部４内又は外部記憶部７内に予め登録した複数の人の音声パスワ−ドの中から入力した１回目の音声パスワ−ドと同じ音声パスワ−ドを選択するものとする。
【００６５】
次に、ステップＳ５４では、音声入力部３から入力した１回目の音声パスワ−ドと、記憶部４内又は外部記憶部７内に予め登録した１回目用の登録音声パスワ−ドとが一致しているか否かを問い、両者が一致していない場合（Ｎｏの場合）にはステップＳ５１に戻り上記したステップＳ５１〜Ｓ５４の動作フローを再度行う一方、両者が一致している場合（Ｙｅｓの場合）にはステップＳ５５に移行する。
【００６６】
次に、ステップＳ５５では、「確認のため、もう一度パスワ−ドを入力してください」とディスプレイ部５上又は音声出力部６のスピーカ（図示せず）で再度入力を促されるので、利用者はステップＳ５６で１回目の音声パスワ−ドに対して２回目に発音のしかたなどにより音声を一部分変形させた変形音声パスワードを音声入力部３に備えたマイクロホン（図示せず）から入力する。
【００６７】
より具体的に説明すると、１回目の音声パスワードとして、例えば「はしのうえできる。」を「橋のうえで着る。」と発音して入力する。これに対して、２回目に入力する変形音声パスワードとして、「はし」を「箸」、「きる」を「切る」と故意に変形させて発音し、「箸のうえで切る。」と発音して入力する。
【００６８】
従って、１回目の音声入力で「橋のうえで着る」と正しい語句・発音で入力され、かつ２回目の音声入力で「橋」を「箸」、「着る」を「切る」と故意に変形させた発音で入力された時に限り利用者として個人認証されるものである。一方、２回目の音声入力で「橋のうえで着る」と１回目の音声入力と同じ発音入力を繰り返したり、あるいは、「橋のうえで切る」と発音したり、もしくは、「箸のうえで着る」と発音した場合には利用者として個人認証されないものである。
【００６９】
次に、ステップＳ５７では、音声入力部３から２回目に入力した変形音声パスワ−ドと、記憶部４内又は外部記憶部７内に予め登録した２回目用の変形登録音声パスワ−ドとをＭＰＵ１内で比較する。この場合、ＭＰＵ１は、記憶部４内又は外部記憶部７内から１回目用の登録音声パスワードと対で登録した２回目用の変形登録音声パスワードを直ちに取り出すことができるものとする。また、ＭＰＵ１は、２回目に入力した変形音声パスワ−ドに対して許容できる音声レベル範囲を演算したり、ノイズ成分などを演算する。
【００７０】
次に、ステップＳ５８では、音声入力部３から２回目に入力した変形音声パスワ−ドと、予め登録した２回目用の変形登録音声パスワ−ドとを比較する際に、両者の発音中で変形位置が一致しているか否かを比較し、両者の変形位置が一致していない場合（Ｎｏの場合）にはステップＳ６１で認証が失敗したことをディスプレイ部５上に表示したり、あるいは音声出力部６で知らせる一方、両者の変形位置が一致している場合（Ｙｅｓの場合）にはステップＳ５９に移行する。
【００７１】
次に、ステップＳ５９では、音声入力部３から２回目に入力した変形音声パスワ−ドと、記憶部４内又は外部記憶部７内に予め登録した２回目用の変形登録音声パスワ−ドとで変形位置が一致している状態で、更に、両者のアクセントが一致している否かを比較し、両者のアクセントが一致していない場合（Ｎｏの場合）にはステップＳ６１で認証が失敗したことをディスプレイ部５上に表示したり、あるいは音声出力部６で知らせる一方、両者のアクセンが一致している場合（Ｙｅｓの場合）には、ステップＳ６０に移行する。
【００７２】
次に、ステップＳ６０では、音声入力部３から２回目に入力した変形音声パスワ−ドと、記憶部４内又は外部記憶部７内に予め登録した２回目用の変形登録音声パスワ−ドとが、変形位置及びアクセント共に一致しているので、利用者の個人認証が正しいものであることを確認し、個人認証が正しい旨を必要に応じてディスプレイ部５上に表示したり、あるいは音声出力部６で知らせることで、個人認証動作を終了する。
【００７３】
尚、２回目に入力する変形音声パスワード中で意図的に発音を変形させる変形位置は利用者の任意であり、アクセントもまた任意である。
【００７４】
上記したように第２実施例の個人認証方法によれば、一般的に、「パスワ−ドを入力してください」と入力を促された後に、「確認のため、もう一度パスワ−ドを入力してください」と再入力を促される場合に、この時に、当然のことながら１回目（最初）の音声パスワ−ドと２回目の音声パスワ−ドは同じものを入れる（例えば、音声パスワ−ド登録の時など、誤入力を避ける意味で当然である）ことが通常行われるものであり、第２実施例でもこの点を逆手にとって、本来同じ音声パスワ−ドを２回入力すべきところを１回目の音声パスワ−ドに対して２回目に故意に一部分変形させた変形音声パスワ−ドを入力して、一部分変形させた部位が予め登録された２回目用の変形登録音声パスワ−ドと同じであるという事実をもって個人認証を行なうことで、このことを知らないと、１回目と２回目の音声パスワ−ドは同じものを入れてしまうので、このことを利用して本人でないと特定できることにより、個人認証の動作のセキュリティ性を高めることができる。
【００７５】
更に、１回目のパスワード及び２回目に入力する変形パスワードとして、音声によるパスワードを用いているために、個人が発声した時の癖が含まれるので、個人認証のセキュリティ性をより一層高めることができる。
【００７６】
次に、本発明に係る第２実施例の個人認証方法を一部変形させた変形例の個人認証方法について、上記した第２実施例に対して異なる点を中心にして図６を用いて簡略に説明する。
【００７７】
図６は本発明に係る第２実施例の個人認証方法を一部変形させた変形例の個人認証方法において、個人認証動作を説明するためのフロー図である。
【００７８】
図６に示した本発明に係る第２実施例の個人認証方法を一部変形させた変形例の個人認証方法では、第２実施例に用いた音声パスワ−ドに代えて歌唱音声をパスワードとして用いる点が異なるものであり、１回目の歌唱音声と、１回目の歌唱音声に対して２回目に音程を故意にはずして一部分変形させた変形歌唱音声とを順に入力するものである。
【００７９】
尚、図６の変形例中において、ステップＳ７１〜ステップＳ８１は、先に図５を用いて説明した第２実施例中のステップＳ５１〜ステップＳ６１と対応させており、ここでは第２実施例中のステップＳ５２で示した「音声パスワード入力」，ステップＳ５６で示した「変形音声パスワード入力」，ステップＳ５９で示した「アクセント一致」が、変形例中ではステップＳ７２で「歌唱音声入力」，ステップＳ７６で「変形歌唱音声入力」，ステップＳ７９で「音程一致」にそれぞれ変更されている点が異なっており、その他のステッップは同じ内容であるので同じ内容のステップの詳述を省略する。
【００８０】
上記に伴って、音声入力部３は、マイクロホン（図示せず）を備えると共に、ここに入力した歌唱音声に対してサンプリングを行ない、歌唱音声の音程の高低を検出する音程検出回路（図示せず）を備えているものとする。
【００８１】
より具体的に説明すると、１回目の歌唱音声による歌声パスワードは、例えば、「さくらさくら」（文部省唱歌）という歌を通常の音程で歌って予め登録しておく。
【００８２】
一方、２回目の歌唱音声による変形歌声パスワードは、「ララシ  ララシ」の音程のはずし方も登録しておく。
【００８３】
そして、変形例の個人認証動作を開始した時に、ステップ７１で「パスワ−ドを入力してください」という問いかけに対して、ステップ７２による１回目の歌唱音声入力時に「さくら〜さくら〜」…ララシ  ララシ  と通常の音程で歌う。
【００８４】
この後、ステップＳ７５で「確認のため、もう一度パスワ−ドを入力してください」という問いかけに対して、ステップ７６による変形歌唱音声入力時に「さくら〜さくら〜」…ララド  ララソ  と音程をはずして歌う。
【００８５】
従って、１回目の歌唱音声入力で「さくら〜さくら〜」（ララシ  ララシ  ）と正しい語句・音程で入力され、且つ、２回目の変形歌唱音声入力で最初に現れる「シ」を「ド」、次に現れる「シ」を「ソ」と間違った音程で入力された時に限り利用者として個人認証される。
【００８６】
一方、２回目の変形歌唱音声入力で「ララシ  ララシ  」と１回目の歌唱音声入力と同じ音程で入力を繰り返したり、「ラソシ  ラソシ  」のように登録時と違う箇所の音程をはずして入力された場合には利用者として個人認証されない。
【００８７】
【発明の効果】
以上詳述した本発明に係る個人認証方法によると、とくに、１回目用の登録パスワードと、この１回目用の登録パスワードに対して一部分変形させた２回目用の変形登録パスワードとを予め登録した上で、１回目のパスワードを入力して前記１回目用の登録パスワードと照合した後に、前記１回目のパスワードに対して２回目に一部分変形させた変形パスワードを入力して前記２回目用の変形登録パスワードと照合することで個人認証を行うので、この結果、利用者個人だけがパスワードの変形方法を知っているため、パスワードを盗まれる危険性がなくなり、個人認証のセキュリティ性を高めることができ、且つ、パスワードの記憶に負担がかからないので使い勝手の良いを個人認証方法を提供できる。更に、本発明に係る個人認証方法に適用される個人認証システムでは、新たな構成部材を追加することなく既存のシステムを適用できるので、安価で使い勝手の良い個人認証方法を提供できる。
【００８８】
また、予め登録した各登録パスワード及び入力する各パスワードとして、数列・文字列によるパスワードを用いた場合には、桁数の多い数列・文字列を複数記憶する必要がないので、パスワードの記憶違いや混同混乱といった危険性を低減することができる。
【００８９】
更に、予め登録した各登録パスワード及び入力する各パスワードとして、音声によるパスワードを用いた場合には、個人が発声した時の癖が含まれるので、個人認証のセキュリティ性をより一層高めることができる。
【図面の簡単な説明】
【図１】本発明に係る個人認証方法に適用される個人認証システムを説明するための全体構成図である。
【図２】本発明に係る個人認証方法において、１回目用の登録パスワードと、１回目用の登録パスワードに対して一部分変形させた２回目用の変形登録パスワードとを予め登録するパスワード登録動作を説明するためのフロー図である。
【図３】本発明に係る第１実施例の個人認証方法において、個人認証動作を説明するためのフロー図である。
【図４】本発明に係る第１実施例の個人認証方法を一部変形させた変形例の個人認証方法において、個人認証動作を説明するためのフロー図である。
【図５】本発明に係る第２実施例の個人認証方法において、個人認証動作を説明するためのフロー図である。
【図６】本発明に係る第２実施例の個人認証方法を一部変形させた変形例の個人認証方法において、個人認証動作を説明するためのフロー図である。
【符号の説明】
１…ＭＰＵ、２…キーボード・テンキー、３…音声入力部、４…記憶部、
５…ディスプレイ部、６…音声出力部、７…外部記憶部。
【図１】
2005025643.tif 000004
【図２】
2005025643.tif 000005
【図３】
2005025643.tif 000006
【図４】
2005025643.tif 000007
【図５】
2005025643.tif 000008
【図６】
2005025643.tif 000009